(57)【要約】【課題】後ろ手を頭方向に大きく移動させなくとも指圧を必要とする頭方向側に円柱状指圧器を十分に移動させることが可能となる円柱状背部指圧器を提供する。を提供することである。【解決手段】大径部からなる凸条周面３と小径部からなる凹条周面４が軸方向６に曲状に連続して凹凸状のくびれ５を周面に形成する円柱体２と、円柱体２を中央に位置して円柱体両端の端面７から一体的に延び背幅８に達する剛性の棒体からなる背幅棒９と、背幅棒両端のそれぞれの端部１０に枢軸１１により回転自在に枢着された両側の可撓性の可撓アーム１７からなる可撓アーム付き円柱状背部指圧器１。【選択図】　　　　図１
0003099243.tif 000002
【実用新案登録請求の範囲】
【請求項１】
大径部からなる凸条周面と小径部からなる凹条周面が軸方向に曲状に連続して凹凸状のくびれを周面に形成している円柱体と、該円柱体を中央に位置して円柱体両端の端面から一体的に延び背幅に達する剛性の棒体からなる背幅棒と、該背幅棒両端のそれぞれの端部に枢軸により回転自在に枢着された両側の可撓性の可撓アームからなることを特徴とする可撓アーム付き円柱状背部指圧器。
【請求項２】
請求項１記載の可撓アーム付き円柱状背部指圧器において、円柱体両端の端面から一体的に延び背幅に達する剛性の棒体からなる背幅棒に代えて、円柱体両端の端面から該円柱体を回転自在に軸支して延び背幅に達する剛性の棒体からなる背幅棒としたことを特徴とする可撓アーム付き円柱状背部指圧器。
【請求項３】
大径部からなる凸条周面と小径部からなる凹条周面が軸方向に曲状に連続して凹凸状のくびれを周面に形成している円柱体は円柱体の両端側を大径部からなる凸条周面とし中央部を小径部の凹条周面としている円柱体であることを特徴とする請求項１また２記載の可撓アーム付き円柱状背部指圧器。
【考案の詳細な説明】
【０００１】
【考案の属する技術分野】
本考案は、人体の背部、特に背骨の両側の筋肉を手動によりマッサージ効果或いは指圧効果を付与する可撓アーム付きの指圧器に関し、特には凸条周面を設けた手動の可撓アーム付きの円柱状背部指圧器に関する。
【０００２】
【従来の技術】
従来、手で指圧器を動かすことによりあるいは指圧器上で身体の背部を動かすことにより身体の背部にマッサージ効果若しくは指圧効果を与える凸条周面を設けた円柱状の背部指圧器は、例えば実開昭６３−１０００３３号公報に記載されるように、一本の棒と溝のついたローラで構成されたもので、手で握ることのできる大きさの握り棒の中心部に溝のついたローラをさし込んだ円柱状指圧器である。このような円柱状指圧器の使用方法は、例えば指圧を行おうとする人がこの円柱状指圧器を有する握り棒の上に身体を仰向けにして寝ころび、この握り棒の両端を後ろ手にして手で握って保持しながら円柱状指圧器の凸条を背中に押しつけながら上下動させるか、背中を円柱状指圧器に押圧しながら身体を上下に動かすことで指圧あるいはマッサージを行っていた。しかしながら、指圧を必要とする人には、握り棒を握った後ろ手が頭方向に十分に移動しない人も多数おり、このためこれらの人たちの背中の指圧範囲は著しく狭められた範囲に限られ、背部が十分に指圧できない問題があった。
【０００３】
【考案が解決しようとする課題】
本考案は、上記の従来の問題点を解消することであり、後ろ手を頭方向に大きく移動させなくとも指圧を必要とする頭方向側に円柱状指圧器を十分に移動させることが可能となる円柱状背部指圧器を提供することである。
【０００４】
【課題を解決するための手段】
上記の課題を解決する本考案の手段は、請求項１の考案では、大径部からなる凸条周面３と小径部からなる凹条周面４が軸方向６に曲状に連続して凹凸状のくびれ５を周面に形成している円柱体２と、円柱体２を中央に位置して円柱体両端の端面７から一体的に延び背幅８に達する剛性の棒体からなる背幅棒９と、背幅棒両端のそれぞれの端部１０に枢軸１１により回転自在に枢着された両側の可撓性の可撓アーム１７からなることを特徴とする可撓アーム付き円柱状背部指圧器１である。
【０００５】
本考案における可撓性とは、曲状に撓めることができ、かつ、特に力を加えないかぎり、すなわち通常に指圧のために円柱体２を背部に押圧して背部を移動させる程度の力を加えている状態では、撓めた曲状の形状がそのまま維持され、さらに強い力を手で加えることで他の形状、例えば直状に戻すことができる程度の剛性もある状態をいう。
【０００６】
上記の請求項１の手段とすることで、円柱体２を身体の背部の中央部に配置でき、さらに凸条周面３で身体の背部を押圧でき、しかも剛性の背幅棒９の端部１０から回動自在に延びかつ可撓性である可撓アーム１７を有するので適宜に可撓アームを曲げて、後ろ手にした手で可撓アーム１７を握って、円柱体２を身体の背部において頭部側に押し上げることが可能である。この手段では円柱体２は背巾棒９と一体であるので、可撓アーム１７を押すことで円柱体２の凸条周面３を背部に食い込むように強力におすことができ、指圧効果が高くなる。
【０００７】
請求項２の考案では、請求項１の手段の可撓アーム付き円柱状背部指圧器１において、円柱体両端の端面７から一体的に延び背幅８に達する剛性の棒体からなる背幅棒９に代えて、円柱体両端の端面７から円柱体２を回転自在に軸支して延び背幅に達する剛性の棒体からなる背幅棒２９としたことを特徴とする可撓アーム付き円柱状背部指圧器１である。
【０００８】
この請求項２の手段では、背巾棒２９の回転軸２３の周囲を円柱体２は回転できるので、この円柱体２の上に仰向けに寝て、身体を頭部側と足部側の間を上下に容易に移動させることができ、この場合は体重を円柱体２にかけて円柱体２を回転させながら背部をマッサージすることが容易である。
【０００９】
請求項３の考案では、大径部からなる凸条周面３と小径部からなる凹条周面４が軸方向６に曲状に連続して凹凸状のくびれ５を周面に形成している円柱体２は円柱体２の両端側を大径部からなる凸条周面３とし中央部を小径部の凹条周面４としている円柱体２であることを特徴とする請求項１また２の手段における可撓アーム付き円柱状背部指圧器１である。
【００１０】
この請求項３の手段では、大径部からなる凸条周面３が円柱体２の両端側にあり中央が小径部からなる凹条周面４となってくびれ５となっているので、背骨を圧迫することなくその両側の腱を押圧して指圧あるいはマッサージすることができる。
【００１１】
【考案の実施の形態】
本考案の実施の形態を以下に図面を参照して説明する。図１は本考案の円柱体２と背巾棒９と可撓アーム１７からなる可撓アーム付き円柱状背部指圧器１の斜視図である。図２は、円柱体２が背幅棒２９を軸に回転できる可撓アーム付き円柱状背部指圧器１で、（ａ）はその平面図で、（ｂ）は側面図である。図３は背巾棒２の端部１０の平板１６が回動自在に挟着軸支される挟着継手１２と可撓アーム１７の接続部状態を示す説明図である。図４は、可撓アーム１７を曲げて扱い易くした可撓アーム付き円柱状背部指圧器１の斜視図である。図５は収納する場合に両側の可撓アーム１７を組み合わせて小さくした状態を示す可撓アーム付き円柱状背部指圧器１の平面図である。
【００１２】
本考案の可撓アーム付き円柱状背部指圧器１の請求項１の考案の実施の形態を図１の斜視図に示す。同図において、指圧部を形成する円柱体２は身体に優しく感じる木製から形成する。円柱体２は直径７ｃｍの大径部からなる凸条周面３と直径４ｃｍの小径部からなる凹条周面４を軸方向６に曲状に連続して凹凸状のくびれ５を周面に形成しており、円柱体２の長さは１１ｃｍである。凸条周面３は円柱体２の両端部に形成しており、この２つの凸条周面３の大径部間は８ｃｍ離間して形成している。円柱体２の両側の端面７には直径２．４ｃｍの木製の剛体の棒からなる長さ１２ｃｍの背幅棒９がそれぞれ一体に取り付けられている。従って円柱体２を中心に位置した両側の背幅棒９の軸方向６の全体の長さは３５ｃｍで背幅に達する。これらの背幅棒９の両端のそれぞれの端部１０は長さ２．８ｃｍ、厚さ５ｍｍの平板１６に形成されている。円柱体２の両側の２本の背幅棒９の両端のそれぞれの平板１６はその平面部を同一方向に向けて対称に配置されている。
【００１３】
この背幅棒９の端部１０に形成された平板１６は可撓アーム１７の一端に形成の木製の直径２．２ｃｍの挟着接手１２の平板挿着部１３に挿着され、ねじからなる枢軸１１により回動自在に挟着されている。挟着接手１２は３．５ｃｍの接手部分の後部に図３に見られるように外径を後部に外嵌する可撓アームが挿通可能な径とした円柱部１４を有する。この円柱部１４に可撓アーム１７の可撓管が外嵌されネジ１５で留められている。可撓アーム１７は硬質プラスチック製の径２．１ｃｍで幅２．８ｍｍの大径管１８と径１．６ｃｍで幅１．２ｍｍの小径管１９が交互に連続して形成された長さ４８ｃｍの可撓管からなっており、この交互に連続する大径管１８と小径管１９により適宜力を加えることで任意の方向に曲げられその曲げられた状態に維持できる。可撓管の端部には径２．５ｃｍで長さ３ｃｍの端が閉じられたキャップ２０が外嵌され端部が保護されている。以上により、指圧或いはマッサージ機能を有する円柱体２を一体的に背幅棒９に設けた請求項１の考案の実施の形態である可撓アーム付き円柱状背部指圧器１は形成されている。
【００１４】
次いで、請求項２の考案の実施の形態について上記の可撓アーム付き円柱状背部指圧器１の実施の形態と相違する円柱体２と背幅棒２９の構造についてのみ説明する。すなわち背幅棒９と可撓アーム１７の接続部の構造及び可撓アーム１７の構造は上記の実施の形態と同一であるので省略する。この実施の形態では、円柱体２の外観の形状は上記の実施の形態における円柱体２と同様で両端部に指圧機能をする凸条周面３とその間の凹条周面４からなるくびれ５は同一の形状をしている。円柱体２の中心には径１．２５ｃｍの孔が軸方向に開けられている。一方、背幅棒２９は円柱体２の両端側に配置される長さ１２ｃｍで直径２．４ｃｍの２本の棒からなっている。図２に示すように背幅棒２９の一端に形成の平板１６と反対側の棒端の軸心には径１．ｃｍ長さ２ｃｍの孔が開口され回転軸挿入部２４が設けられている。木製の長さ１５ｃｍで径１．２ｃｍの棒体からなる回転軸２３を設け、この回転軸２３に円柱体２を回転自在に挿通し、回転軸２３の両端を背幅棒２９の回転軸挿入部２４に挿通して固定する。この結果、指圧あるいはマッサージ機能を有する円柱体２は背幅棒２９に回転自在に取付けられている。
【００１５】
上記においては円柱体２に挿通する回転軸２３は独立したものであるが、どちらか一方の背幅棒２９に一体的に形成し、他の背幅棒２９にのみ回転軸挿入部２４の開口を設けて接続することもできることはいうまでもない。
【００１６】
請求項３の考案の実施の形態は、それぞれ上記の２つの実施の形態に記載の円柱体２における形状の円柱体２を有する可撓アーム付き円柱状背部指圧器１であり、図１、図２、図４あるいは図５に見られる円柱体２である。すなわち、大径部からなる凸条周面３と小径部からなる凹条周面４が軸方向６に曲状に連続して凹凸状のくびれ５を円柱体２の周面に形成し、円柱体２の両端側に大径部からなる凸条周面３を配置し、この両側の凸条周面３の中央部の小径部の凹条周面４からなるくびれ５を配置する形状を有する円柱体２を有する可撓アーム付き円柱状背部指圧器１であり、円柱体２は背幅棒９と一体のものと、円柱体２は背幅棒２９に回転可能に形成されているものである。
【００１７】
図４は本考案の可撓アーム付き円柱状背部指圧器１を使用する場合に、可撓アーム１７のキャップ２０側に曲部２１を形成しての手の握り部分となる握り部２２を形成した場合を示す。このように曲部２１を形成することで、可撓アーム１７を握る手を後ろ手にするとき、手を身体の両脇に位置させても指圧機能をする円柱体２は十分に背中の部分に位置することができ、脇の下側で手を上下することにより、背部を指圧ないしマッサージすることができる。
【００１８】
さらに図５はこの可撓アーム付き円柱状背部指圧器１を収納するときに可撓アーム１７の部分を図５のように組むことで専有する大きさをコンパクトにすることができる。
【００１９】
以上説明したように、本実施の形態では、円柱体２と背幅棒９あるいは２９、および挟着接手１２を木製としたが、勿論プラスチック製でもよいことはいうまでもない。
【００２０】
【考案の効果】
以上説明したように、本考案は、剛性を有しながら可撓性を有する可撓アームを設けたので、手で握って後ろ手にする際に、十分に腕が後方に回りにくい人にも可撓アームを曲げることで後ろ手を頭方向に大きく移動させなくとも指圧を必要とする頭方向側に円柱状指圧器を十分に移動させることができ、容易に身体の側部で可能で、十分に背部を押圧したりマッサージできるなど身体に優しい背部を指圧あるいはマッサージする指圧器であり、従来にない優れた効果を奏するものである。
【図面の簡単な説明】
【図１】本考案の円柱体と背巾棒と可撓アームからなるが可撓アーム付き円柱状背部指圧器の斜視図である。
【図２】円柱体が背幅棒の回転軸の周りに回転できる可撓アーム付き円柱状背部指圧器で、（ａ）はその平面図で、（ｂ）は側面図である。
【図３】背巾棒の端部の平板がが回動自在に挟着軸支される挟着継手と可撓アームの接続部状態を示す説明図である。
【図４】可撓アーム１７を曲げて扱い易くした可撓アーム付き円柱状背部指圧器の斜視図である。
【図５】収納のため両側の可撓アームを組み合わせて小さくした状態を示す可撓アーム付き円柱状背部指圧器の平面図である。
【符号の説明】
１　可撓アーム付き円柱状背部指圧器
２　円柱体
３　凸条周面
４　凹条周面
５　くびれ
６　軸方向
７　端面
８　背幅
９　背幅棒
１０　端部
１１　枢軸
１２　挟持継手
１３　平板挿着部
１４　円柱部
１５　ねじ
１６　平板
１７　可撓アーム
１８　大径管
１９　小径管
２０　キャップ
２１　曲部
２２　握り部
２３　回転軸
２４　回転軸挿入部
２９　背幅棒
【図１】
0003099243.tif 000003
【図２】
0003099243.tif 000004
【図３】
0003099243.tif 000005
【図４】
0003099243.tif 000006
【図５】
0003099243.tif 000007